(57)【要約】【課題】  床下のスペースが狭い低床建築において、基礎上に建築物の床組を安定して支持することが可能である高さ調整床支持金具であって、比較的簡単な構造で、コストの低減化が可能であり、根太に孔を穿ることなく設置・高さ調整可能な高さ調整床支持金具を提供すること。【解決手段】  基礎に接して配置された基台部と、一方の端部が前記基台部に取付られたボルトと、このボルトに螺合するナットと、前記ナットの他方の端部が取り付けられた床部材受部とを具備し、前記ナットの回転により基台部と床部材受部の間隔が伸縮する高さ調整床支持金具において、前記ナットの回転により前記床部材受部が追随して回転しないように、前記ナットの他方の端部は前記床部材受部に対し、相互に回転可能に取り付けられていることを特徴とする高さ調整床支持金具。【選択図】図１
2016199982.tif 000002
【特許請求の範囲】
【請求項１】
基礎に接して配置された基台部と、一方の端部が前記基台部に取付られたボルトと、このボルトに螺合するナットと、前記ナットの他方の端部が取り付けられた床部材受部とを具備し、前記ナットの回転により基台部と床部材受部の間隔が伸縮する高さ調整床支持金具において、
前記ナットの回転により前記床部材受部が追随して回転しないように、前記ナットの他方の端部は前記床部材受部に対し、相互に回転可能に取り付けられていることを特徴とする高さ調整床支持金具。
【請求項２】
前記ナットの他方の端部は縮径された円筒状に形成され、この縮径円筒部を前記床部材受部に形成された孔に挿入した後、縮径円筒部先端を押圧し変形させることにより、前記ナットの他方の端部は前記床部材受部に取り付けられていることを特徴とする請求項１に記載の高さ調整床支持金具。
【請求項３】
前記ナットの自然回転を防止するための第２のナットを前記ボルトに螺合させたことを特徴とする請求項１又は２に記載の高さ調整床支持金具。
【発明の詳細な説明】
【技術分野】
【０００１】  本発明は、建築物高さ調整床支持金具に係り、特に、建築物の狭小の床下に設置可能な高さ調整床支持金具に関するものである。
【背景技術】
【０００２】  通常、木造建築物は、コンクリート製の基礎の表面又はその上に配置された束石上に、床束と呼ばれる垂直部材を介して床が支持されている。即ち、木造建築物の一階の床組は、床の下地である根太及びそれを支える大引が、垂直に起立された床束により支持されている。近年、ステンレス、鋼のような金属からなる床束が知られている（例えば、特許文献１参照）。【０００３】  しかし、低床建築の場合、床下のスペースが狭く、特許文献１に記載されているような床束を使用することは困難であった。特に１００ミリ以下という非常に低い床空間の建築物に対応できる金属製床束は極めて限定されており、例えば以下のものを挙げることができる。【０００４】  （１）ウルトラミニ（商品名：エア・ウォーター・マッハ（株）製）
この金属製床束は、基台に取付けられたボルトにナットが螺合され、このナットが床部材受部に取付けられて構成されている。基台は基礎上に載置され、床部材受部が根太を支えている。
このように構成される金属製床束では、根太の床部材受部により支えられている部分に孔を穿け、根太の上からこの孔を通して、例えばマイナスドライバーによりボルトを回し、ナットを相対的に上下動させて、高さを調節している。【０００５】  しかし、このような金属製床束では、根太に孔を穿ける手間がかかり、孔を穿けたことにより根太の剛性が低下するという問題がある。また、ボルトの頭部の形状や溝の形状に応じてマイナス（プラス）ドライバーやボックスレンチ等の工具を使い分ける必要があり、煩雑である。【０００６】  （２）ＩＳミニ（商品名：エア・ウォーター・マッハ（株）製）
この金属製床束は、両端に雌ネジが切られたターンバックルの下端に、基台に取り付けられ外面にネジが切られたパイプを螺合し、上端に、床部材受部に取付けられたボルトを螺合して構成されている。基台は基礎上に載置され、床部材受部が根太を支えている。
このように構成される金属製床束では、ボルト及びパイプの外面に形成されたネジは一方が右ネジ、他方が左ネジとなっており、ターンバックルを回転させることにより、パイプ及びボルトが締められたり緩められたりし、床束の長さが伸縮するようになっている。【０００７】  この金属製床束の特徴は、ターンバックルの下端に螺合された部材がボルトではなくパイプであるため、ターンバックルを回転させて床束の長さを縮小させたときに、床部材受部に取付けられたボルトがパイプ内に収容され、床束の長さを極めて短くすることができることである。【０００８】  しかし、この床束は、構造が複雑であるため、その部品は高い加工度を必要とし、また部品数も多くなるため、製造コストが高いという問題がある。更に、上下にボルトを保持するための嵌合部が必要であるため、その分、床束の伸縮範囲が相殺されると言う問題もある。
【先行技術文献】
【特許文献】
【０００９】
【特許文献１】特許第３８８９３２７号公報
【発明の概要】
【発明が解決しようとする課題】
【００１０】  本発明は、以上の事情の下になされ、床下のスペースが狭い低床建築において、基礎上に建築物の床組を簡易な操作で安定して支持することが可能である高さ調整床支持金具であって、簡単な構造で、コストの低減化が可能であり、根太に孔を穿ることなく設置・高さ調整可能な高さ調整床支持金具を提供することを目的とする。
【課題を解決するための手段】
【００１１】  上記課題を解決するため、本発明の一態様は、基礎に接して配置された基台部と、一方の端部が前記基台部に取付られたボルトと、このボルトに螺合するナットと、前記ナットの他方の端部が取り付けられた床部材受部とを具備し、前記ナットの回転により基台部と床部材受部の間隔が伸縮する高さ調整床支持金具において、前記ナットの回転により前記床部材受部が追随して回転しないように、前記ナットの他方の端部は前記床部材受部に対し、相互に回転可能に取り付けられていることを特徴とする高さ調整床支持金具を提供する。【００１２】  以上のように構成される本発明の一態様に係る高さ調整支持金具において、前記ナットの他方の端部を縮径された円筒状に形成し、この縮径円筒部を前記床部材受部に形成された孔に挿入した後、縮径円筒部先端を押圧し変形させることにより、前記ナットの他方の端部は前記床部材受部に取り付けることが出来る。
また、前記ナットの自然回転を防止するための第２のナットを前記ボルトに螺合させることが出来る。
【発明の効果】
【００１３】  本発明によると、床下のスペースが狭い低床建築において、基礎上に建築物の床組を安定して支持することが可能である高さ調整床支持金具であって、比較的簡単な構造で、コストの低減化が可能であり、根太に孔を穿ることなく設置・高さ調整可能な高さ調整床支持金具が提供される。
【図面の簡単な説明】
【００１４】
【図１】本発明の一実施形態に係る高さ調整床支持金具の概略を示す図。
【図２】図１に示す調整金具のナットと床部材受部の取り付け構造を示す図。
【発明を実施するための形態】
【００１５】  以下、本発明の実施形態について詳細に説明する。
図１は、本発明の一実施形態に係る高さ調整床支持金具の概略を示す図である。図１において、高さ調整床支持金具１は、基礎２０に接する基台部２と、その下端が基台部２に取り付けられ、基台部２から垂直に立ち上がるボルト３と、このボルト３の上方から螺合されたナット４と、根太６を支える、ナット４の上端が回転可能に取り付けられた床部材受部５とから構成される。床部材受部５は、例えばＬ字型の形状を有していて、根太６の下面及び側面を支持している。
【００１６】  基台部２のボルト３が取付けられる部分は上方に湾曲しており、凸状となっている。基台部２のボルト３の取付けは、ボルト３を凸状部７の中央に形成された孔８に下方から挿入し、凸状部７の底面において、ボルト３の頭部を凸状部７の孔８の周縁に溶接することにより行われる。ボルト３は、その頭部が基台部２の下面より下に飛び出て、基礎２０との平面接触を妨げないように取り付けることが必要である。
【００１７】  この場合、必ずしも常に必要ではないが、ナット４を緩め、高さ調整床支持金具の長さを最大に伸ばして根太６を支持した後、振動等によりナット４が自然に締まり、高さ調整床支持金具の長さが縮小するのを防止するため、ボルト３には第２のナット１３が螺合されている。
ナット４の上端の床部材受部５への取り付け構造を図２に示す。図２において、床部材受部５の中央部は下方に湾曲し、その底面が凹状となっており、その凹状部９の中央に孔１０が形成されている。
【００１８】  一方、ナット４は六角柱のナット本体１１とその上端の取付け部１２とから構成されている。ナット本体１１は内側にネジが切られており、その下端からボルト３が螺合されている。ナット４を回転させることにより、ボルト３が締められたり緩められたりし、高さ調整床支持金具の長さが伸縮するようになっている。それによって根太６を所定の高さに支持することができる。
ナット４の取付け部１２は円筒状であり、内径が、ネジが切られる前のナット本体１１の内径と同一であり、当初の外径は孔９より小さいが、取り付けの際に先端の外径が孔９より大きくなるように加工されている。
【００１９】  ナット４の上端の床部材受部５への取り付けは、まず、先端が加工されていない（外径は孔９より小さい）取付け部１２を床部材受部５の凹状部９の孔１０内に挿入する。次いで、取付け部１２の先端を、圧着、カシメ加工等により外径を孔１０よりも大きくなるように押圧変形加工する。その際、取付け部１２の外径が孔９より小さい部分の長さＬを床部材受部５の厚みＴより大きくするとともに、先端が凹状部９から上に突き出ないようにする必要がある。
【００２０】  この場合、孔９内に挿入された取付け部１２の外周と孔９との間、加工された取付け部１２の先端と凹状部９の上面との間、及びナット本体１１の上端と凹状部９の下面との間に若干の遊びを設けることが望ましい。
このようにナット４を床部材受部５に取付けることにより、ナット４が回転しても床部材受部５はそれに追随することなく、根太６を支持した状態で静止した状態を維持することが出来る。即ち、ナット４は床部材受部５に相対的に回転可能に取り付けられることになる。また、ナット４の先端が突き出て根太６の支持に支障を生ずることもない。
【００２１】  以上のように構成される高さ調整床支持金具１は、根太６等の床部材を所定の高さで支持するための器具として、以下のように使用される。
まず、基礎２０の所定の位置に基台部２が置かれるように、高さ調整床支持金具１を配置する。そして、ナット４を所定の方向に回転させて、ボルト３を緩めることにより、高さ調整床支持金具１の長さを伸ばし、床部材の根太６の下面及び側面を床部材受部５が隙間なく支持するようにする。そして、第２のナット１３を絞めることにより、ナット４を床部材受部５の下面に強く押圧するように固定する。
【００２２】  以上説明した本実施形態に係る高さ調整床支持金具１によると、１組のボルト・ナットで構成されているため、例えば１００ミリ以下という狭い間隔の床下の基礎２０上に、単にナットを緩めるだけで、基礎２０及び根太６との間に隙間を生ずることなく、床部材を所定の高さで安定して保持することが可能である。
【００２３】  本実施形態に係る高さ調整床支持金具において、４０ｍｍの長さのナットを用いて高さ調整床支持金具を構成することにより、基礎と床部材の間隔が８０ｍｍの狭いスペースの床下に高さ調整床支持金具を設置し、床部材を支持することができる。また、１５ｍｍという短いナットを用いて高さ調整床支持金具を構成すれば、基礎と床部材の間隔が３０ｍｍという極めて狭いスペースの床下に高さ調整床支持金具を設置し、床部材を支持することができる。
【００２４】  なお、以上説明した実施形態では、ナット４の上端の床部材受部５への取り付けは、ナット４の上端を変形加工することにより行ったが、本発明はこれに限らず、ナット４の上端に外径の大きいリング状の金属部材を溶接等により固着することにより行うことも可能である。
また、ボルト３の基台部２への取り付けは、ボルト３の頭部を凸状部７の孔８の周縁に溶接することにより行ったが、本発明はこれに限らず、圧着加工等により行うことも可能である。
【符号の説明】
【００２５】  １…高さ調整床支持金具
２…基台部
３…ボルト
４…ナット
５…床部材受部
６…根太
７…凸状部
８，１０…孔
９…凹状部
１１…ナット本体
１２…取付け部
１３…第２のナット
２０…基礎。
【図１】
2016199982.tif 000003
【図２】
2016199982.tif 000004